(57)【要約】【課題】コンテンツ変換ソフトウェア（ＷＷＷ文書で閲覧希望の箇所を指定しておくと、ＷＷＷ文書が更新されても、希望箇所を集約したＷＷＷ文書が定されるソフト）において、ユーザによるレイアウト指定を可能とし、サーバ負荷を軽減させる。【解決手段】本発明は、各ＷＷＷ文書のレイアウト情報（表示情報）をも閲覧者端末に保持し、レイアウト情報に基づいて当該閲覧端末において集約したＷＷＷ文書を表示する。【選択図】　　　図１
2004139275.tif 000002
【特許請求の範囲】
【請求項１】
ＷＷＷ（Ｗｏｒｌｄ　Ｗｉｄｅ　Ｗｅｂ）　文書を表示するシステムの閲覧者端末におけるＷＷＷ文書表示方法において、
前記ＷＷＷ文書が存在するＵＲＬ、該ＷＷＷ文書における必要情報の存在箇所、及び該必要情報を表示する閲覧者端末のウィンドウの領域を表示情報として保持しておき、
閲覧者が指定した複数の表示情報に基づいて、前記閲覧者端末が取得したＷＷＷ文書の中から必要情報を抽出し、
前記閲覧者端末のウィンドウ上の指定領域に前記必要情報をそれぞれ表示することを特徴とするＷＷＷ文書表示方法。
【請求項２】
前記必要情報の更新周期を前記表示情報と共に前記閲覧者により指定されると、該更新周期が経過する毎に、前記閲覧者端末が取得した前記ＷＷＷ文書の中から必要情報を抽出し、
前記閲覧者端末のウィンドウ上の指定領域に再表示する請求項１記載のＷＷＷ文書表示方法。
【請求項３】
前記必要情報の更新周期を前記表示情報と共に前記閲覧者から指定されると、該更新周期が経過する毎に、前記閲覧者端末が取得した経過時刻における最新のＷＷＷ文書の中から必要情報を抽出し、
抽出された前記必要情報と表示中の情報とを比較して、差異があった場合のみ前記閲覧者端末のウィンドウ上の指定領域に前記必要情報を再表示する請求項１記載のＷＷＷ文書表示方法。
【請求項４】
前記必要情報の更新周期を前記表示情報と共に前記閲覧者から指定されると、該更新周期が経過する毎に、前記閲覧者端末が取得した経過時刻における最新のＷＷＷ文書の中から必要情報を抽出し、
抽出された前記必要情報と表示中の情報とを比較して、差異があった場合には情報が更新されたことを前記閲覧者に通知する請求項１記載の文書表示方法。
【請求項５】
ＷＷＷ（Ｗｏｒｌｄ　Ｗｉｄｅ　Ｗｅｂ）　文書を表示するシステムにおける閲覧者端末であって、
閲覧者からの入力を受け付ける入力手段と、
前記閲覧者からの入力に基づいてＷＷＷ文書を取得する文書取得手段と、
ウィンドウ上に表示する表示手段と、
前記ＷＷＷ文書が存在するＵＲＬ、該ＷＷＷ文書における必要情報の存在箇所、及び該必要情報を表示する閲覧者端末のウィンドウの領域を表示情報として記憶する表示情報記憶手段と、
閲覧者が指定した複数の表示情報に基づいて、前記表示記憶手段から指定された該表示情報に対応する表示情報を読み出して、取得したＷＷＷ文書の中から該表示情報に対応する必要情報を抽出する必要情報抽出手段と、
前記表示手段のウィンドウ上の指定領域に前記必要情報をそれぞれ前記表示情報に基づいて表示する表示制御手段と、を有することを特徴とする閲覧者端末装置。
【請求項６】
前記必要情報抽出手段は、
前記入力手段から前記必要情報の更新周期を前記表示情報と共に前記閲覧者により指定されると、該更新周期が経過する毎に、前記閲覧者端末が取得したＷＷＷ文書の中から必要情報を抽出する手段を含み、
前記表示制御手段は、
前記ウィンドウ上の指定領域に前記必要情報を再表示する手段を含む請求項５記載の閲覧者端末。
【請求項７】
前記必要情報抽出手段は、
前記入力手段から前記必要情報の更新周期を前記表示情報と共に前記閲覧者から指定されると、該更新周期が経過する毎に、前記閲覧者端末が取得した経過時刻における最新のＷＷＷ文書の中から必要情報を抽出する手段を含み、
前記表示制御手段は、
抽出された前記必要情報と表示中の情報とを比較して、差異があった場合のみ前記ウィンドウ上の指定領域に該必要情報を再表示する手段を含む請求項５記載の閲覧者端末。
【請求項８】
前記必要情報抽出手段は、
前記入力手段から前記必要情報の更新周期を前記表示情報と共に前記閲覧者から指定されると、該更新周期が経過する毎に、前記閲覧者端末が取得した経過時刻における最新のＷＷＷ文書の中から必要情報を抽出する手段を含み、
抽出された前記必要情報と表示中の情報とを比較して、差異があった場合には情報が更新されたことを前記閲覧者に通知する通知手段を更に有する請求項５記載の閲覧者端末。
【発明の詳細な説明】
【０００１】
【発明の属する技術分野】
本発明は、ＷＷＷ（Ｗｏｒｌｄ　Ｗｉｄｅ　Ｗｅｂ）　文書表示方法及び閲覧者端末に係り、特に、複数のＷＷＷ文書でそれぞれ必要な部分を指定し、これを集めて一つのウィンドウに一括して表示するＷＷＷ文書表示方法及び閲覧者端末に関する。
【０００２】
【従来の技術】
インターネット上に氾濫するＷＷＷ文書を、効率的に閲覧する、あるいは、閲覧させるために、既存のＷＷＷ文書を加工して情報を集約した新たなＷＷＷ焚書を予め指定した設定に基づいて自動的に作成し、閲覧に供するシステムがコンテンツ変換ソフトとして提供されている（例えば、非特許文献１）。
【０００３】
以下に、日本オラクルの「Ｐｏｒｔａｌ−ｔｏ−Ｇｏ」を例にして従来の技術の概要を説明する。
【０００４】
元のＷＷＷ文書についてＨＴＭＬ（Ｈｙｐｅｒ　Ｔｅｘｔ　Ｍａｒｋｕｐ　Ｌａｎｇｕａｇｅ）の構造を解析し、タグ情報を抽出する。任意のタグを選択してコンテンツを抽出することが可能である。抽出したコンテンツは、ＸＭＬファイルに変換され、各端末向けのタグやレイアウトに反感するスタイルシートを適用して所望のページが生成される。
【０００５】
基本的な動作はいずれの製品も同様である。いずれの製品とも、図１２に示すようなプロキシサーバまたは、アプリケーションサーバとして提供される。
【０００６】
【非特許文献１】
『注目製品選択のポイント』日経オープンシステムズ２０００年８月
【０００７】
【発明が解決しようとする課題】
しかしながら、従来提供されているものは、利用可能なＷＷＷ文書やその抽出部分、生成されるページのレイアウト等については、サーバ側の設定に委ねられており、閲覧者側で自由にこれらを設定することはできない。
【０００８】
また、従来提供されているものは、元のＷＷＷ文書の収集からコンテンツ変換まですべてサーバ側で実行されるものであり、サーバへの負荷が大きい。
【０００９】
本発明は、上記の点に鑑みなされたもので、利用可能なＷＷＷ文書やその抽出部分、生成されるページのレイアウト等を閲覧者側で自由に設定し、個々の閲覧者に特化されたページを提供すると共に、主要な操作をすべて閲覧者端末側で実行することで、サーバ負荷を軽減することが可能なＷＷＷ文書表示方法及び閲覧者端末を提供することを目的とする。
【００１０】
【課題を解決するための手段】
図１は、本発明の原理を説明するための図である。
【００１１】
本発明は、ＷＷＷ文書を表示するシステムの閲覧者端末におけるＷＷＷ文書表示方法において、
ＷＷＷ文書が存在するＵＲＬ、該ＷＷＷ文書における必要情報の存在箇所、該必要情報を表示する閲覧者端末のウィンドウの領域を表示情報として保持しておき（ステップ１）、
閲覧者が指定した複数の表示情報に基づいて、閲覧者端末が取得したＷＷＷ文書の中から必要情報を抽出し（ステップ２）、
閲覧者端末のウィンドウ上の指定領域に必要情報をそれぞれ表示する（ステップ３）。
【００１２】
また、本発明は、必要情報の更新周期を表示情報と共に閲覧者により指定されると、該更新周期が経過する毎に、閲覧者端末が取得したＷＷＷ文書の中から必要情報を抽出し、
閲覧者端末のウィンドウ上の指定領域に必要情報を再表示する。
【００１３】
また、本発明は、必要情報の更新周期を表示情報と共に閲覧者から指定されると、該更新周期が経過する毎に、閲覧者端末が取得した経過時刻における最新のＷＷＷ文書の中から必要情報を抽出し、
抽出された必要情報と表示中の情報とを比較して、差異があった場合のみ閲覧者端末のウィンドウ上の指定領域に必要情報を再表示する。
【００１４】
また、本発明は、必要情報の更新周期を表示情報と共に閲覧者から指定されると、該更新周期が経過する毎に、閲覧者端末が取得した経過時刻における最新のＷＷＷ文書の中から必要情報を抽出し、
抽出された必要情報と表示中の情報とを比較して、差異があった場合には情報が更新されたことを閲覧者に通知する。
【００１５】
図２は、本発明の原理構成図である。
【００１６】
本発明は、ＷＷＷ文書を表示するシステムにおける閲覧者端末であって、
閲覧者からの入力を受け付ける入力手段１１０と、
閲覧者からの入力に基づいてＷＷＷ文書を取得する文書取得手段１６０と、
ウィンドウ上に表示する表示手段１２０と、
ＷＷＷ文書が存在するＵＲＬ、該ＷＷＷ文書における必要情報の存在箇所、該必要情報を表示するウィンドウの領域を表示情報として記憶する表示情報記憶手段１３０と、
閲覧者が指定した複数の表示情報に基づいて、表示情報記憶手段から指定された表示情報に対応する表示情報を読み出して、閲覧者端末が取得したＷＷＷ文書の中から必要情報を抽出する必要情報抽出手段１４０と、
表示手段１２０のウィンドウ上の指定領域に必要情報を表示情報に基づいて、それぞれ表示する表示制御手段１５０と、を有する。
【００１７】
また、本発明の必要情報抽出手段１４０は、入力手段１１０から必要情報の更新周期を表示情報と共に閲覧者により指定されると、該更新周期が経過する毎に、取得したＷＷＷ文書の中から必要情報を抽出する手段を含み、　表示制御手段１５０は、ウィンドウ上の指定領域に再表示する手段を含む。
【００１８】
また、本発明の必要情報抽出手段１４０は、入力手段１１０から必要情報の更新周期を表示情報と共に閲覧者から指定されると、該更新周期が経過する毎に、取得した経過時刻における最新のＷＷＷ文書の中から必要情報を抽出する手段を含み、
表示制御手段１５０は、抽出された必要情報と表示中の情報とを比較して、差異があった場合のみウィンドウ上の指定領域に再表示する手段を含む。
【００１９】
また、本発明は、必要情報抽出手段１４０において、入力手段１１０から必要情報の更新周期を表示情報と共に閲覧者から指定されると、該更新周期が経過する毎に、取得した経過時刻における最新のＷＷＷ文書の中から必要情報を抽出する手段を含み、
抽出された必要情報と表示中の情報とを比較して、差異があった場合には情報が更新されたことを閲覧者に通知する通知手段を更に有する。
【００２０】
上記のように、本発明では、ＷＷＷが存在するＵＲＬ、このＷＷＷ文書における必要情報の存在箇所、この必要情報を表示する閲覧者端末のウィンドウ上の領域を表示情報とし、閲覧者が指定した複数の表示情報に基づいて、閲覧者端末がバッファフレームに収納したＷＷＷ文書の中から必要情報を抽出し、閲覧者端末の表示フレーム上の指定領域にそれぞれ表示することにより、利用可能なＷＷＷ文書やその抽出部分、生成されるページのレイアウト等を閲覧者側で自由に設定し、個々の閲覧者に特化されたページを提供すると共に、主要な操作をすべて閲覧者端末側で実行することで、サーバの負荷を軽減することが可能となる。
【００２１】
【発明の実施の形態】
以下、図面と共に本発明の実施の形態を説明する。
【００２２】
図３は、本発明の一実施の形態における閲覧者端末の構成を示す。
【００２３】
同図に示す閲覧者端末１００は、閲覧者からの入力を受け付ける入力部１１０と、バッファフレーム１２１と表示フレーム１２２を有する表示部１２０と、ＷＷＷ文書が存在するＵＲＬ、該ＷＷＷ文書における必要情報の存在箇所、該必要情報を表示する閲覧者端末のウィンドウの領域を表示情報として記憶する表示情報記憶部１３０と、閲覧者が入力部１１０から指定した複数の表示情報に基づいて、表示情報記憶部１３０から指定された表示情報に対応する表示情報に基づいて、当該閲覧者端末１００がインターネットから取得したＷＷＷ文書の中から必要情報を抽出する必要情報抽出部１４０と、表示部１２０のウィンドウ上の指定領域に表示情報に基づいて必要情報をそれぞれ表示する表示制御部１５０と、入力部１１０から入力された閲覧者からの指定に基づいてＷＷＷ文書の要求をインターネット網に送信すると共に、要求したＷＷＷ文書を受信してブラウザのバッファフレーム１２１に保持させる送受信部１６０、バッファフレーム１２１からＷＷＷ文書を読み出すと共に、表示情報記憶部１３０から閲覧者により指定された表示情報に対応する表示情報を読み出し、必要情報抽出部１４０に渡す読み込み部１７０から構成される。
【００２４】
図４は、本発明の一実施の形態における閲覧者端末の概念図である。
【００２５】
同図に示すように、閲覧者端末１００は、インターネット網からＷＷＷ文書（例えば、文書１〜文書３）を取得し、ブラウザのバッファフレームに保持される。
【００２６】
次に、閲覧者端末１００の全体の処理を説明する。
【００２７】
図５は、本発明の一実施の形態における閲覧者端末の動作のフローチャートである。同図において、下線を付したものは、表示情報として表示情報記憶部１３０に保持されている情報を示す。
【００２８】
最初に、閲覧者により指定された表示情報に対応する表示情報を表示情報記憶部１３０から読み込む（ステップ１０１）。ここで、閲覧者端末１００のブラウザウィンドウは、図６のようなフレームに分割されている。一方は、バッファフレームａであり、表示情報として閲覧者により指定されたＵＲＬのＷＷＷ文書は、一旦このフレームに読み込まれる（ステップ１０２）。
【００２９】
必要情報抽出部１４０は、バッファフレームａに読み込まれたＷＷＷ文書の木構造を解析して必要部分を抽出し（ステップ１０３）、表示制御部１５０においてこれをもう一方のフレーム（表示フレームｂ）の指定領域に表示する（ステップ１０４）。以上の操作を予め指定した表示情報毎に実行する。
【００３０】
表示情報の例を図７に示す。表示情報はＵＲＬ（図７では、ｈｔｔｐ：／／ｗｗｗ．ｇｏｏ．ｎｅ．ｊｐ／ｉｎｄｅｘ．ｈｔｍｌ　）、必要部分（図７では、ＨＴＭＬ［０］．ＴＡＢＬＥ［２］．ＴＢＯＤＹ［０］．ＴＲ［０］．ＴＤ［２］）、表示フレームｂ上の表示領域（指定領域）（図７では、ｌｅｆｔ：１００ｐｘ；　ｔｏｐ：５０；　ｗｉｄｔｈ：４９ｐｘ；　ｈｅｉｇｈｔ：２０ｐｘ　）の情報からなる。
【００３１】
次に、バッファフレームａに読み込まれた指定ＵＲＬのＷＷＷ文書の木構造の解析について説明する。
【００３２】
木構造とは、図８に示すような文書構造である。図７は、ＷＩＤＬ（Ｗｅｂ　Ｉｎｔｅｒｆａｃｅ　Ｄｅｆｉｎｉｔｉｏｎ　Ｌａｎｇｕａｇｅ）　（詳しくは、文献『Ｗｅｂ　Ｉｎｔｅｒｆａｃｅ　Ｄｅｆｉｎｉｔｉｏｎ　Ｌａｎｇｕａｇｅ（ＷＩＤＬ）　』ｈｔｔｐ：／／ｗｗｗ．ｗ３．ｏｒｇ／ＴＲ／ＮＯＴＥ−ｗｉｄｌ．ｈｔｍｌ　を参照のこと）により、この木構造中の部分指定を記述した例であるが、文献『構造化文書からの情報抽出方法及び情報抽出プログラム及び情報抽出プログラムを格納した記憶媒体』（　特願２００２−１９０６２１）の記述方法を用いることにより、ＷＷＷ文書に若干の変更があった場合でも高い確度で抽出することができる。このような木構造中の部分記述は、文献『構造化文書の部分指定・抽出方法及び装置及び構造化文書の部分指定・抽出プログラム及び構造化文書の部分指定・抽出プログラムを格納した記憶媒体』　（特願２００２−２０４６４１）　　により、ブラウザを用いたグラフィカルなインタフェースにより容易に取得することができる。
【００３３】
図７の表示情報は、ｈｔｔｐ：／／ｗｗｗ．ｇｏｏ．ｎｅ．ｊｐ／ｉｎｄｅｘ．ｈｔｍｌ　のＷＷＷ文書の木構造中、三番目の表（ＴＡＢＬＥ［２］）の第１列（ＴＲ［０］３）の左から３番目（ＴＤ［２］）のセルを指定した例である。このような操作は、ＷＷＷ文書のＤＯＭ（Ｄｏｃｕｍｅｎｔ　ＯｂｊｅｃｔＭｏｄｅ）を解析するスクリプトを用いて、容易に記述することが可能であり、ブラウザで実行することができる（詳しくは、文献“Ｄａｖｉｄ　Ｆｌａｎｇａｎ，『Ｊａｖａ（登録商標）　Ｓｃｒｉｐｔ：　Ｔｈｅ　Ｄｅｆｉｎｉｔｉｖｅ　Ｇｕｉｄｅ，　Ｆｏｕｒｔｈ　Ｅｄｉｔｉｏｎ　』ＣＨＡＰＴＥＲ　１７　ｔｈｅ　Ｄｏｃｕｍｅｎｔ　Ｏｂｊｅｃｔ　Ｍｏｄｅｌ，　ｐｐ．２７４−３１３，　Ｏ’Ｒｅｉｌｌｙ　＆　Ａｓｓｏｃｉａｔｅｓ，　Ｉｎｃ．　米国”を参照されたい）。
【００３４】
上記の操作によって抽出されたＨＴＭＬ（必要情報）は、表示フレームｂの指定した領域に表示される。
【００３５】
次に、表示フレーム上の指定領域への表示について説明する。
【００３６】
図７は、ＣＣＳ（Ｃａｓｃａｄｉｎｇ　Ｓｔｙｌｅ　Ｓｈｅｅｔ）　により、この表示領域を記述した例である。図７の表示情報は、表示フレームの左端から１００ピクセル（ｌｅｆｔ：１００ｐｘ；）上端から５０ピクセル（ｔｏｐ：５０ｐｘ；）　を左上端とする。幅４９ピクセル（ｗｉｄｔｈ：４９ｐｘ；）　、高さ２０ピクセル（ｈｅｉｇｈｔ：２０ｐｘ；）の領域に表示するよう指定した例である。ＣＳＳによる表示領域の指定は、一般的なブラウザで実行することができる（詳しくは、文献“Ｄａｖｉｄ　Ｆｌａｎｇａｎ，　　『Ｊａｖａ（登録商標）　Ｓｃｒｉｐｔ：　Ｔｈｅ　Ｄｅｆｉｎｉｔｉｖｅ　Ｇｕｉｄｅ，　Ｆｏｕｒｔｈ　Ｅｄｉｔｉｏｎ　』１８．２　　Ｅｌｅｍｅｎｔ　Ｐｏｓｉｔｉｏｎｉｎｇ　ｗｉｔｈ　ＣＳＳ，　ＰＰ．３２２−３３１，Ｏ’Ｒｅｉｌｌｙ　＆　Ａｓｓｏｃｉａｔｅｓ，　Ｉｎｃ．米国”を参照されたい）。
【００３７】
すべての表示情報に従って以上の操作を実行することにより、複数のページから必要部分を集めて一つのウィンドウに一括して表示することができる。その例を図９に示す。
【００３８】
ここで、〈ＩＦＲＡＭＥ〉タグを用いたバッファフレームａについて補足して説明する。
【００３９】
バッファフレームａは、図１０に示すように、〈ＩＦＲＡＭＥ〉タグを用いて表示フレームｂ中に設定することが可能である。この場合、表示領域で指定された位置に設定したバッファフレームａ中にＷＷＷ文書を読み込み、図１１に示すように、必要部分の領域とこの領域が一致するよう、読み込んだＷＷＷ文書全体の表示をシフトさせることにより、所期の効果を得ることができる。
【００４０】
また、本発明では、図５の操作を、予め指定した表示情報毎に、かつ表示情報毎に予め設定した時間をおいて定期的に実行することにより、常に最新の情報を表示することができる。この場合、表示フレームへの表示は、現在表示されている情報と表示しようとする情報とに差異があった場合に限ることで、閲覧者端末１００の負荷を軽減することが可能である。また、両者に差異があった場合、その表示領域の表示色を変える等により、閲覧者に注目すべき部分を的確に指示することができる。さらに、両者に差異があった場合、電子メールにより指定したメールアドレスに通知することによって、迅速に更新の事実を伝えることができる。
【００４１】
上記の現在表示されている情報と表示しようとする情報との差異は、各々の情報に含まれるテキストを抽出し、これを比較してその有無を検出することで定義することができる。または、抽出されたテキストに予め設定した語句の有無を検出することで定義することができる。
【００４２】
このように、本発明では、ＷＷＷ文書で閲覧希望の箇所（表示情報）を閲覧者が指定しておくと、ＷＷＷ文書が更新されても、希望箇所を集約したＷＷＷ文書が提示されるソフトウェアにおいて、各ＷＷＷ文書のレイアウト情報をも保持し、レイアウト情報に基づいて閲覧者端末において集約したＷＷＷ文書を提示することが可能となる。
【００４３】
また、図５に示すフローチャートの動作をプログラムとして構築し、閲覧者端末として利用されるコンピュータにインストールする、または、ネットワークを介して流通させることも可能である。
【００４４】
また、構築されたプログラムを閲覧者端末として利用されるコンピュータに接続されるハードディスクや、フレキシブルディスク、ＣＤ−ＲＯＭ等の可搬記憶媒体に格納しておき、本発明を実施する際に、当該コンピュータにインストールすることも可能である。
【００４５】
なお、本発明は、上記の実施の形態に限定されることなく、特許請求の範囲内において、種々変更・応用が可能である。
【００４６】
【発明の効果】
上述のように、本発明によれば、ＷＷＷ文書が存在するＵＲＬ、このＷＷＷ文書における必要情報の存在箇所、この必要情報を表示する閲覧者端末のウィンドウ上の領域を表示情報とし、閲覧者が指定した複数の表示情報に基づいて、閲覧者が取得したＷＷＷ文書の中から必要情報を抽出し、閲覧者端末のウィンドウ上の指定領域にそれぞれ表示することにより、利用可能なＷＷＷ文書やその抽出部分、生成されるページのレイアウト等を閲覧者側で自由に設定し、個々の閲覧者に特化されたページを提供すると共に、主要な操作を全て閲覧者端末側で実行することで、サーバ負荷を軽減することが可能となる。
【図面の簡単な説明】
【図１】本発明の原理を説明するための図である。
【図２】本発明の原理構成図である。
【図３】本発明の一実施の形態における閲覧者端末の構成図である。
【図４】本発明の一実施の形態における閲覧者端末の概念図である。
【図５】本発明の一実施の形態における閲覧者端末の動作のフローチャートである。
【図６】本発明の一実施の形態における閲覧者端末のウィンドウのフレーム構成である。
【図７】本発明の一実施の形態における表示情報の例である。
【図８】本発明の一実施の形態におけるＨＴＭＬのソースと対応する木構造の例である。
【図９】本発明の一実施の形態における一括表示の例である。
【図１０】本発明の一実施の形態における〈ＩＦＲＡＭＥ〉タグを用いたバッファフレームの例である。
【図１１】本発明の一実施の形態における〈ＩＦＲＡＭＥ〉タグを用いたバッファフレームへのＷＷＷ文書の読み込みの例である。
【図１２】従来の技術の概念図である。
【符号の説明】
１００　閲覧者端末
１１０　入力手段、入力部
１２０　表示手段、表示部
１２１　バッファフレーム
１２２　表示フレーム
１３０　表示情報記憶手段、表示情報記憶部
１４０　必要情報抽出手段、必要情報抽出部
１５０　表示制御手段、表示制御部
１６０　文書取得手段、送受信部
１７０　読み込み部
ａ　バッファフレーム
ｂ　表示フレーム
【図１】
2004139275.tif 000003
【図２】
2004139275.tif 000004
【図３】
2004139275.tif 000005
【図４】
2004139275.tif 000006
【図５】
2004139275.tif 000007
【図６】
2004139275.tif 000008
【図７】
2004139275.tif 000009
【図８】
2004139275.tif 000010
【図９】
2004139275.tif 000011
【図１０】
2004139275.tif 000012
【図１１】
2004139275.tif 000013
【図１２】
2004139275.tif 000014